(57)【特許請求の範囲】
【請求項１】
物体側より像側へ順に、正の屈折力の第１レンズ群、負の屈折力の第２レンズ群、正の屈折力の第３レンズ群、正の屈折力の第４レンズ群より構成され、ズーミングに際し、前記第２レンズ群と前記第４レンズ群が移動するズームレンズであって、前記第２レンズ群と前記第３レンズ群の間に開口絞りが配置されており、前記第２レンズ群の最も物体側に配置された負レンズの材料の屈折率をＮ２１、前記第２レンズ群の最も物体側に配置された負レンズの像側の面の曲率半径をＲ２２、広角端における全系の焦点距離をｆｗとするとき、
２．００≦Ｎ２１＜２．５０
１．６２＜Ｒ２２／ｆｗ＜２．７２
なる条件式を満足することを特徴とするズームレンズ。
【請求項２】
フォーカスに際し、前記第４レンズ群の一部又は全部が移動し、広角端または望遠端において無限遠物体にフォーカスしたときの前記第４レンズ群から像面までの空気換算量の小さい方をＢＦとするとき、
４．５＜ＢＦ／ｆｗ＜８．０
なる条件式を満足することを特徴とする請求項１のズームレンズ。
【請求項３】
前記第３レンズ群の物体側のレンズＧ３１は物体側の面が凹形状の負レンズであり、前記開口絞りと該レンズＧ３１の凹面との光軸上の距離をＬ３とするとき、
１．２＜Ｌ３／ｆｗ＜２．０
なる条件式を満足することを特徴とする請求項１または２に記載のズームレンズ。
【請求項４】
前記第１レンズ群は１以上の正レンズを有し、該１以上の正レンズのうち少なくとも１枚のレンズの材料のアッベ数は８０以上であることを特徴とする請求項１，２又は３に記載のズームレンズ。
【請求項５】
前記第３レンズ群の焦点距離をｆ３、前記第４レンズ群の焦点距離をｆ４とするとき、
２．２＜ｆ３／ｆ４＜２．７５ 
なる条件式を満足することを特徴とする請求項１から４のいずれか１項に記載のズームレンズ。
【請求項６】
前記第３レンズ群の全体または一部のレンズを光軸と垂直方向の成分を持つように移動させて、被写体像の変移を行うことを特徴とする請求項１から５のいずれか１項に記載のズームレンズ。
【請求項７】
固体撮像素子上に像を形成することを特徴とする請求項１から６のいずれか１項に記載のズームレンズ。
【請求項８】
請求項１から７のいずれか１項に記載のズームレンズと、その像面側に色分解光学系と固体撮像素子を有することを特徴とする撮影装置。
【発明の詳細な説明】
【技術分野】
【０００１】
本発明は、ズームレンズ及びそれを用いた撮像装置に関し、ビデオカメラやデジタルスチルカメラ等の電子カメラやフィルム用カメラや放送用カメラ等に好適に用いられるものである。
【背景技術】
【０００２】
最近、固体撮像素子を用いたビデオカメラ、デジタルスチルカメラ、携帯端末（ＰＤＡ）、携帯電話そして従来の写真用カメラなどの光学機器の高機能化及び小型化に伴い、それに使われる光学系においても高い光学性能と小型化の両立が求められている。
【０００３】
特にこれらの光学機器に用いられるズームレンズとしては、高倍率化やレンズ全長の短縮化や前玉径の小型化レンズ構成の簡略化に力が注がれている。またビデオデッキの高性能化（デジタル化、ＨＤ化）に伴いビデオカメラの高画質化が進んできている。
【０００４】
高画質化を図る１つの方法として色分解光学系による画像の色分解による方法がある。又、光学系の小型化を図る１つの方法として物体側の第１レンズ群以外のレンズ群を移動させてフォーカスを行う、いわゆるリアフォーカス方式を採用する方法がある（例えば特許文献１〜１４）。
【０００５】
一般にリアフォーカス方式は、比較的小型軽量のレンズ群を移動させるので、レンズ群の駆動力が小さくてすみ、かつ、迅速な焦点合わせができるのでオートフォーカスシステムとの相性がいい等の特徴がある。また、近接撮影、特に極近接撮影が可能となる特徴もある。
【特許文献１】特開平６−５１１９９号公報
【特許文献２】特開平６−３３７３５３号公報
【特許文献３】特開平６−３４７６９７号公報
【特許文献４】特開平７−１９９０６９号公報
【特許文献５】特開平７−２７０６８４号公報
【特許文献６】特開平７−３１８８０４号公報
【特許文献７】特開平９−２８１３９０号公報
【特許文献８】特開平９−２８１３９１号公報
【特許文献９】特開平９−３０４６９８号公報
【特許文献１０】特開平１１−２３９６５号公報
【特許文献１１】特開平１１−２８７９５２号公報
【特許文献１２】特開平１１−２８７９５４号公報
【特許文献１３】特開２０００−３０５０１６号公報
【特許文献１４】特開２００３−２４１０８８号公報
【発明の開示】
【発明が解決しようとする課題】
【０００６】
特開２０００−３０５０１６号公報を除く前述した各公報で提案されているズームレンズは、像側に３色分解プリズムを配置することを想定した長いバックフォーカスを確保してはいるが、その各実施例はいずれも変倍比が１６倍以下のものである。
【０００７】
一方、ＣＣＤの高密度化とともにズームレンズには、高い解像周波数が求められている。一般に光学系中に設ける絞りの絞り径が小さくなる状態、或いは開口形状が真円形からかけ離れた絞り開口状態になると回折による画像劣化が増加してくる。
【０００８】
これを解決する方法として、虹彩絞りの採用やＮＤフィルターの光路内挿入により、絞り径が小さくなるのを防止し、回折による影響を最小限に抑制する方法がある。しかしながらこの方法は、絞り機構の複雑化、ＮＤフィルターの挿入に要する光軸上間隔の増大により、光学系が大型化しやすくなる傾向がある。
【０００９】
例えば特開２０００−３０５０１６号公報等で提案されているズームレンズでは、絞りの前後間隔を十分確保しているとは言い難い。
【００１０】
本発明は、レンズ系全体を小型化し、高い光学性能を有したズームレンズ及びそれを用いた撮像装置の提供を目的とする。
【００１１】
この他本発明は、色分解用プリズムなどの光学素子やズームレンズ部の保護を目的とした光学素子が入る程度の長いバックフォーカス空間を有し、さらに絞りの前後間隔を充分長く確保し、全ズーム域・全物体距離にわたって良好な光学性能を維持しつつ大口径で変倍比２０倍程度という高い変倍比を有するズームレンズ及びそれを有する撮像装置の提供を目的とする。
【課題を解決するための手段】
【００１２】
本発明のズームレンズは、物体側より像側へ順に、正の屈折力の第１レンズ群、負の屈折力の第２レンズ群、正の屈折力の第３レンズ群、正の屈折力の第４レンズ群より構成され、ズーミングに際し、前記第２レンズ群と前記第４レンズ群が移動するズームレンズであって、前記第２レンズ群と前記第３レンズ群の間に開口絞りが配置されており、前記第２レンズ群の最も物体側に配置された負レンズの材料の屈折率をＮ２１、前記第２レンズ群の最も物体側に配置された負レンズの像側の面の曲率半径をＲ２２、広角端における全系の焦点距離をｆｗとするとき、
２．００≦Ｎ２１＜２．５０
１．６２＜Ｒ２２／ｆｗ＜２．７２
なる条件式を満足することを特徴としている。
【発明の効果】
【００１３】
本発明によれば、レンズ系全体を小型化し、高い光学性能を有したズームレンズ及びそれを用いた撮像装置が得られる。
【発明を実施するための最良の形態】
【００１４】
【実施例】
【００１５】
以下、本発明のズームレンズ及びそれを有する撮像装置の実施例について説明する。
【００１６】
図１は本発明の実施例１のズームレンズの広角端（短焦点距離端）におけるレンズ断面図、図２、図３、図４はそれぞれ実施例１のズームレンズの広角端、中間のズーム位置、望遠端（長焦点距離端）における収差図である。
【００１７】
図５は本発明の実施例２のズームレンズの広角端におけるレンズ断面図、図６、図７、図８はそれぞれ実施例２のズームレンズの広角端、中間のズーム位置、望遠端における収差図である。
【００１８】
図９は本発明の実施例３のズームレンズの広角端におけるレンズ断面図、図１０、図１１、図１２はそれぞれ実施例３のズームレンズの広角端、中間のズーム位置、望遠端における収差図である。
【００１９】
図１３は本発明のズームレンズを備えるビデオカメラ（撮像装置）の要部概略図である。
【００２０】
各実施例のズームレンズは撮像装置に用いられる撮影レンズ系であり、レンズ断面図において、ＺＬはズームレンズ、ＣＢはカメラ本体である。
【００２１】
Ｌ１は正の屈折力（光学的パワー＝焦点距離の逆数）の第１レンズ群、Ｌ２は負の屈折力の第２レンズ群、Ｌ３は正の屈折力の第３レンズ群、Ｌ４は正の屈折力の第４レンズ群である。ＳＰは光量調整用の開口絞りであり、第３レンズ群Ｌ３の物体側に位置している。即ち、第２レンズ群Ｌ２と第３レンズ群Ｌ３との間に配置している。
【００２２】
ＧＡはズームレンズＺＬの保護を目的とした必要に応じて設けられる保護ガラスである。
【００２３】
ＧＢは色分解プリズム、光学フィルター、フェースプレート、ローパスフィルター等に相当する光学ブロックである。ＩＰは像面であり、ビデオカメラやデジタルスチルカメラの撮影光学系として使用する際にはＣＣＤセンサやＣＭＯＳセンサ等の固体撮像素子（光電変換素子）の撮像面が、銀塩フィルム用カメラのときはフィルム面に相当する。
【００２４】
第１レンズ群Ｌ１から保護ガラスＧＡまでの各要素はズームレンズ（ズームレンズ部）ＺＬの一要素を構成している。ガラスブロックＧＢと撮像素子はカメラ本体ＣＢ内に収納されている。ズームレンズ部ＺＬはマウント部材Ｃを介してカメラ本体ＣＢに着脱可能に装着されている。
【００２５】
収差図において、ｄ、ｇは各々ｄ線及びｇ線、ΔＭ、ΔＳはメリジオナル像面、サジタル像面、倍率色収差はｇ線によって表している。
【００２６】
尚、以下の各実施例において広角端と望遠端は変倍用のレンズ群（各実施例では第２レンズ群Ｌ２）が機構上光軸上を移動可能な範囲の両端に位置したときのズーム位置をいう。
【００２７】
各実施例では、広角端から望遠端へのズーミング（変倍）に際して矢印のように、第２レンズ群Ｌ２を像側へ移動させて変倍を行うと共に、変倍に伴う像面変動を第４レンズ群Ｌ４を物体側に凸状の軌跡を有するよう移動させて補正している。
【００２８】
また、第４レンズ群Ｌ４の一部又は全部（各実施例では全部である）を光軸上移動させてフォーカシングを行うリアフォーカス式を採用している。
【００２９】
第４レンズ群のズーミングに伴う移動軌跡は物体距離によって異なっている。
【００３０】
第４レンズ群Ｌ４に関する実線の曲線４ａと点線の曲線４ｂは、各々無限遠物体と近距離物体にフォーカスしているときの変倍に伴う像面変動を補正するための移動軌跡である。このように第４レンズ群Ｌ４を物体側へ凸状の軌跡とすることで第３レンズ群Ｌ３と第４レンズ群Ｌ４との間の空間の有効利用を図り、レンズ全長の短縮化を効果的に達成している。
【００３１】
各実施例では、例えば望遠端において無限遠物体から近距離物体へフォーカスを行う場合には、矢印４ｃに示すように第４レンズ群Ｌ４を前方に繰り出すことで行っている。尚、第１レンズ群Ｌ１と第３レンズ群Ｌ３は、ズーミング及びフォーカスの為には光軸方向に固定であるが収差補正上必要に応じて移動させてもよい。
【００３２】
また、第３レンズ群Ｌ３の全体または一部のレンズを光軸と垂直方向の成分を持つように移動させて、例えば手ブレ等があったときの被写体像の変移を行っている。
【００３３】
図１３に示す本発明のビデオカメラ（撮像装置）は、少なくとも上記ズームレンズと、色分解用素子と該色分解素子によって分割された各色対応の撮像素子と、撮像信号処理回路等を有している。
【００３４】
各実施例では、第１レンズ群Ｌ１を、物体側から像側へ順に、負の屈折力の第１１レンズＧ１１、正の屈折力の第１２レンズＧ１２、正の屈折力の第１３レンズＧ１３より構成し、諸収差を良好に補正している。
【００３５】
第１レンズ群Ｌ１中の複数の正の屈折力のレンズＧ２２，Ｇ２３のうち、少なくとも１つのレンズは、材料のアッベ数が８０以上のものを用いている。
【００３６】
これによって色収差を補正している。
【００３７】
一般にズーム倍率が２０倍程度と高倍率になってくると、望遠端側での色収差の発生が問題となってくる。特に撮像手段として近年の高精細のＣＣＤを用いると色収差の残存が画質を大きく低下させてくる。
【００３８】
これを解決するには第１レンズ群Ｌ１の正の屈折力のレンズの材料にアッベ数８０以上の異常分散性の硝材を用いるのが良い。さらに望ましくは、第１レンズ群Ｌ１中の最も物体側の正の屈折力のレンズにアッベ数８０以上の異常分散性の硝材を使用すると効果的である。また、２枚以上の正の屈折力のレンズに異常分散性の硝材を用いるのが良い。
【００３９】
第２レンズ群Ｌ２を２枚の負の屈折力のレンズＧ２１，Ｇ２２と正の屈折力のレンズＧ２３と負の屈折力のレンズＧ２４とを接合した接合レンズより構成している。
【００４０】
また、第２レンズ群Ｌ２に非球面を導入し歪曲収差など軸外の光学性能を良好に補正している。このときの非球面はレンズの中心部から周辺部にいくに従って正の屈折力が弱くなる形状とすることが望ましい。
【００４１】
第３レンズ群Ｌ３を物体側の面が凹面の負の屈折力のレンズＧ３１、正の屈折力のレンズＧ３２より構成している。第４レンズ群Ｌ４を正の屈折力のレンズＧ４１、負の屈折力のレンズＧ４２、正の屈折力のレンズＧ４３とを接合した接合レンズより構成している。
【００４２】
各実施例では以上のように、各レンズ群を構成することによって、レンズ系とＣＣＤとの間に色分解プリズムが入るような長いバックフォーカスを確保しつつ、高変倍比でしかも前玉径が小さく、大口径なズームレンズを達成している。
【００４３】
各実施例では次の条件のうち１以上を満足するようにし、これによって各条件に相当する効果を得ている。
【００４４】
レンズＧ２１の材料の屈折率をＮ２１、広角端または望遠端のズーム位置において無限遠物体にフォーカスしたとき第４レンズ群Ｌ４から像面ＩＰまでの空気換算量の小さい方をＢＦ、広角端のズーム位置における全系の焦点距離をｆｗ、絞りＳＰとレンズＧ３１の物体側の凹面との光軸上の距離をＬ３、第３レンズ群Ｌ３の焦点距離をｆ３、第４レンズ群Ｌ４の焦点距離をｆ４、レンズＧ２１の像側の面の曲率半径をＲ２２とするとき、
２．００≦Ｎ２１＜２．５０        ‥‥‥（１）
４．５＜ＢＦ／ｆｗ＜８．０        ‥‥‥（２）
１．２＜Ｌ３／ｆｗ＜２．０        ‥‥‥（３）
２．２＜ｆ３／ｆ４＜２．７５      ‥‥‥（４）
１．６２＜Ｒ２２／ｆｗ＜２．７２  ‥‥‥（５）
なる条件式を満足している。
【００４５】
次に前述の各条件式の技術的意味について説明する。
【００４６】
条件式（１）は第２レンズ群Ｌ２中の負の屈折力のレンズＧ２１の材料の屈折率Ｎ２１に関し、間接的に前玉径を小型化する為のものである。前玉径は主に第２レンズ群Ｌ２に対する軸外光線の入射角度と高さで決定されるが、該レンズＧ２１の材料の屈折率を条件式（１）を満足するように設定すると、前玉を通過する軸外光線の高さが低くなり、前玉径を小さくすることができる。下限値を超えると前玉径が大きくなる。逆に上限値を超えると前玉径は小さくなるが、Ｐ−ｓｕｍ（ペッツバール和）のバランスが崩れ、像面湾曲を発生するので良くない。
【００４７】
条件式（２）は所望の長さのバックフォーカスＢＦを確保するための条件である。上限値を超えてバックフォーカスが長くなりすぎるとレンズ全長が長くなりレンズ系全体の大型化を招く。逆に下限値を超えてバックフォーカスが短くなりすぎると、色分解プリズム等の光学部材を設置することが困難となる。
【００４８】
条件式（３）は虹彩絞りＳＰやＮＤフィルター等の光学部材の光路中への挿入を確保するための条件である。下限値を超えると光学部材の光路中への挿入が困難になる。逆に上限値を超えると光学系全体の大型化を招くと同時に、広角端のズーム位置における球面収差の補正が困難になってくる。
【００４９】
条件式（４）は第３レンズ群Ｌ３と第４レンズ群Ｌ４の焦点距離ｆ３，ｆ４の比に関し、絞りＳＰ以降の光学系全体の小型化を図りつつバックフォーカスＢＦや射出瞳位置を充分長くして良好な光学性能を維持するためのものである。下限値を超えて第３レンズ群Ｌ３の焦点距離ｆ３が短くなると充分な長さのバックフォーカスＢＦを確保するのが困難になったり、第４レンズ群Ｌ４の焦点距離ｆ４が長くなると、フォーカシング時の第４レンズ群Ｌ４の移動量が大きくなり、球面収差の変動が大きくなりこれを補正するのが困難となる。
【００５０】
逆に上限値を超えて第３レンズ群Ｌ３の焦点距離が長くなると第３レンズ群Ｌ３から射出する光束の発散が大きくなり、第４レンズ群Ｌ４の有効径が大きくなりレンズ系全体が重くなるので良くない。
【００５１】
条件式（５）は第２レンズ群Ｌ２の最も物体側に配置されるレンズＧ２１の像側の面の曲率半径に関する条件である。第１レンズ群Ｌ１（前玉）のレンズ有効径を小さくして収差補正を良好に行う為のものである。下限値を超えて面の曲率が小さくなると、ズーム中間位置での第１レンズ群Ｌ１から第２レンズ群Ｌ２への軸外光線の入射高が高くなり、第１レンズ群Ｌ１の有効径の大型化を招くので良くない。逆に上限値を超えて面の曲率が大きくなると広角端のズーム位置において非点収差が大きくなり、メリディオナル像面がアンダー方向となり好ましくない。
【００５２】
尚、更に好ましくは条件式（１）〜（５）の数値範囲を次の如く設定するのが良い。
【００５３】
２．００≦Ｎ２１＜２．２ ‥‥‥（１ａ）
４．６＜ＢＦ／ｆｗ＜５．５ ‥‥‥（２ａ）
１．４＜Ｌ３／ｆｗ＜１．８ ‥‥‥（３ａ）
２．２５＜ｆ３／ｆ４＜２．７３ ‥‥‥（４ａ）
１．６２５＜Ｒ２２／ｆｗ＜２．３ ‥‥‥（５ａ）
尚、以上の各実施例においては第４レンズ群Ｌ４の像側や第１レンズ群Ｌ１の物体側に屈折力の小さな光学部材を配置しても良い。
【００５４】
次に本発明のズームレンズを撮影光学系として用いたビデオカメラ（撮像装置）の実施形態を図１３を用いて説明する。
【００５５】
図１３において、１０はビデオカメラ本体またはデジタルスチルカメラ本体、１１は本発明のズームレンズによって構成された撮影光学系、１２は撮影光学系１１によって被写体像を受光するＣＣＤ等の撮像素子の１つ、１３は撮像素子１２が受光した被写体像を記録する記録手段、１４は表示素子に表示された被写体像を観察するためのファインダーである。
【００５６】
上記表示素子は液晶パネル等によって構成され、撮像素子１２上に形成された披写体像が表示される。１５は不図示の前記ファインダーと同等の機能を有する液晶表示パネルである。
【００５７】
このように本発明のズームレンズをビデオカメラ等の撮像装置に適用することにより、高い光学性能を有する光学機器を実現している。
【００５８】
以上のように各実施例によればレンズ系全体を小型化し、高変倍比にもかかわらず高い光学性能を有したズームレンズ及びそれを用いた撮像装置を達成することができる。
【００５９】
この他各実施例によれば、ズーム比が２０倍以上と高変倍比にもかかわらず広角端から望遠端のズーム位置に至る全変倍範囲にわたり、また無限遠物体から超至近物体に至る物体距離全般にわたり高い光学性能を有し、かつＦナンバーが１．６程度と大口径比でありながら、色分解用プリズム等の光学素子が入る長いバックフォーカスを有し、更に複雑な絞り機構の入る空間や、ＮＤフィルターの入る空間等を確保しつつ、全ズーム域・全物体距離にわたって良好な性能を有するズームレンズの提供が可能になり、このズームレンズが得られる。
【００６０】
以下に、実施例１〜３に各々対応する数値実施例１〜３を示す。各数値実施例において、ｉは物体側からの面の順番を示し、ｒｉは各面の曲率半径、ｄｉは第ｉ面と第ｉ＋１面との間の部材肉厚又は空気間隔、ｎｉ，νｉはそれぞれｄ線に対する屈折率，アッベ数を示す。又、数値実施例１，２では最も像側の５つの面は水晶ローパスフィルター、赤外カットフィルター等に相当する平面である。
【００６１】
非球面形状は光軸からの高さＨの位置での光軸方向の変位を面頂点に基準にしてＸとするとき、
【００６２】
【数１】
0004612795.tif 000002
【００６３】
で表される。但しＲは近軸曲率半径、ｋは円錐定数、Ａ，Ｂ，Ｃ．Ｄ，Ｅは非球面係数である。
【００６４】
又、「ｅ−Ｘ」は「×１０−Ｘ」を意味している。ｆは焦点距離、ＦｎｏはＦナンバー、ωは半画角を示す。又、前述の各条件式と数値実施例における諸数値との関係を表１に示す。
【００６５】
数値実施例１
f=1〜19.95     Fno = 1.65 〜 3.50   2ω= 55.9〜3.1 
R 1 =  14.300      D 1=  0.40        N 1=1.846660      ν 1= 23.9
R 2 =   9.053      D 2=  0.23
R 3 =  12.403      D 3=  0.96        N 2=1.433870      ν 2= 95.1
R 4 = -37.756      D 4=  0.03        
R 5 =   7.026      D 5=  0.87        N 3=1.603112      ν 3= 60.6
R 6 =  37.415      D 6=  可変
R 7 =   8.945      D 7=  0.16        N 4=2.003300      ν 4= 28.3
R 8 =   1.642      D 8=  0.70        
R 9 =  -4.195      D 9=  0.14        N 5=1.772499      ν 5= 49.6
R10 =  25.009      D10=  0.03        
R11 =   3.645      D11=  0.76        N 6=1.846660      ν 6= 23.9
R12 =  -2.850      D12=  0.13        N 7=1.834807      ν 7= 42.7
R13 =  23.873      D13=  可変
R14 =   絞り       D14=  1.62        
R15 =  -5.330      D15=  0.18        N 8=1.696797      ν 8= 55.5
R16 = -22.955      D16=  0.29        
*R17 =  11.595      D17=  0.72        N 9=1.583126      ν 9= 59.4
R18 =  -5.303      D18=  可変
*R19 =   6.040      D19=  0.70        N10=1.583126      ν10= 59.4
R20 = -24.166      D20=  0.28        
R21 =  10.694      D21=  0.18        N11=1.846660      ν11= 23.9
R22 =   3.905      D22=  0.85        N12=1.487490      ν12= 70.2
R23 =  -7.528      D23=  可変
R24 =    ∞        D24=  0.29        N13=1.516330      ν13= 64.1
R25 =    ∞        D25=  0.92        
R26 =    ∞        D26=  0.25        N14=1.550000      ν14= 60.0
R27 =    ∞        D27=  0.29        N15=1.520000      ν15= 69.0
R28 =    ∞        D28=  3.61        N16=1.589130      ν16= 61.2
R29 =    ∞        D29=  0.14        N17=1.516330      ν17= 64.2
R30 =    ∞
*は非球面 
【００６６】
【表１】
0004612795.tif 000003
【００６７】
非球面係数
R17  K= 1.67238e+01  B=-3.57245e-03   C=-1.13127e-04   D= 3.10466e-05
E=-1.35059e-05  F= 1.40468e-06
R19  K=-1.67397e+00  B=-5.27438e-04   C= 3.10717e-05   D=-2.23919e-06
E= 3.84914e-07  F=-1.56084e-07
【００６８】
数値実施例２
f=1〜20.11     Fno = 1.65 〜 3.50   2ω= 56.0〜3.0 
R 1 =  14.376      D 1=  0.39        N 1=1.846660      ν 1= 23.9
R 2 =   8.937      D 2=  0.26
R 3 =  13.255      D 3=  0.92        N 2=1.433870      ν 2= 95.1
R 4 = -30.689      D 4=  0.04        
R 5 =   6.736      D 5=  0.99        N 3=1.603112      ν 3= 60.6
R 6 =  35.677      D 6=  可変
R 7 =  10.687      D 7=  0.16        N 4=2.003300      ν 4= 28.3
R 8 =   1.632      D 8=  0.63        
R 9 =  -4.082      D 9=  0.14        N 5=1.772499      ν 5= 49.6
R10 =  31.587      D10=  0.07        
R11 =   3.679      D11=  0.68        N 6=1.846660      ν 6= 23.9
R12 =  -3.105      D12=  0.12        N 7=1.804000      ν 7= 46.6
R13 =  19.623      D13=  可変
R14 =   絞り       D14=  1.59        
R15 =  -5.329      D15=  0.18        N 8=1.696797      ν 8= 55.5
R16 = -21.770      D16=  0.29        
*R17 =  11.762      D17=  0.71        N 9=1.583126      ν 9= 59.4
R18 =  -5.198      D18=  可変
*R19 =   5.750      D19=  0.57        N10=1.583126      ν10= 59.4
R20 = -25.489      D20=  0.27        
R21 =  11.211      D21=  0.18        N11=1.846660      ν11= 23.9
R22 =   3.927      D22=  0.87        N12=1.487490      ν12= 70.2
R23 =  -7.440      D23=  可変
R24 =    ∞        D24=  0.28        N13=1.516330      ν13= 64.1
R25 =    ∞        D25=  0.90        
R26 =    ∞        D26=  0.24        N14=1.550000      ν14= 60.0
R27 =    ∞        D27=  0.28        N15=1.520000      ν15= 69.0
R28 =    ∞        D28=  3.54        N16=1.589130      ν16= 61.2
R29 =    ∞        D29=  0.14        N17=1.516330      ν17= 64.2
R30 =    ∞
*は非球面 
【００６９】
【表２】
0004612795.tif 000004
【００７０】
非球面係数
R17  K= 1.94379e+01  B=-3.81411e-03   C=-9.99124e-05   D= 2.43876e-05
E=-1.61899e-05  F= 1.80718e-06
R19  K=-1.62724e+00  B=-5.03929e-04   C= 2.06087e-05   D=-2.10942e-06
E= 1.96652e-07  F=-1.14479e-07
【００７１】
数値実施例３
f=1〜19.97     Fno = 1.65 〜 3.01   2ω= 55.9〜3.0 
R 1 =  18.505      D 1=  0.37        N 1=1.846660      ν 1= 23.9
R 2 =  10.020      D 2=  0.20
R 3 =  13.916      D 3=  0.88        N 2=1.433870      ν 2= 95.1
R 4 = -38.429      D 4=  0.04 
R 5 =   7.860      D 5=  0.78        N 3=1.712995      ν 3= 53.9
R 6 =  39.719      D 6=  可変
R 7 =   8.361      D 7=  0.16        N 4=2.003300      ν 4= 28.3
R 8 =   1.708      D 8=  0.71
R 9 =  -3.860      D 9=  0.14        N 5=1.882997      ν 5= 40.8
R10 =-119.684      D10=  0.02
R11 =   4.273      D11=  0.54        N 6=1.922860      ν 6= 18.9
R12 =  -7.098      D12=  0.12        N 7=1.806098      ν 7= 40.9
R13 =  42.972      D13=  可変
R14 =   絞り       D14=  1.67
R15 =  -5.882      D15=  0.18        N 8=1.696797      ν 8= 55.5
R16 = -50.915      D16=  0.18        N 9=1.834807      ν 9= 42.7
R17 = -33.354      D17=  0.03
*R18 =  10.621      D18=  0.67        N10=1.583126      ν10= 59.4
R19 =  -5.923      D19=  可変
*R20 =   5.827      D20=  0.58        N11=1.583126      ν11= 59.4
R21 = -20.718      D21=  0.29
R22 =  11.337      D22=  0.18        N12=1.846660      ν12= 23.9
R23 =   4.054      D23=  0.87        N13=1.487490      ν13= 70.2
R24 =  -7.318      D24=  可変
R25 =    ∞        D25=  0.28        N14=1.516330      ν14= 64.1
R26 =    ∞        D26=  0.90
R27 =    ∞        D27=  0.24        N15=1.550000      ν15= 60.0
R28 =    ∞        D28=  0.28        N16=1.520000      ν16= 69.0
R29 =    ∞        D29=  3.54        N17=1.589130      ν17= 61.2
R30 =    ∞        D30=  0.14        N18=1.516330      ν18= 64.2
R31 =    ∞
*は非球面
【００７２】
【表３】
0004612795.tif 000005
【００７３】
非球面係数
R18  K= 2.06512e+01  B=-3.89664e-03   C=-3.98798e-04   D= 4.84792e-05
E=-1.67770e-05  F=-3.41050e-07
R20  K=-2.93756e-01  B=-1.82592e-03   C= 1.04935e-04   D=-6.26116e-06
E=-4.35184e-06  F= 7.04244e-07
【００７４】
【表４】
0004612795.tif 000006
【図面の簡単な説明】
【００７５】
【図１】実施例１のレンズ断面図
【図２】実施例１に対応する数値実施例の広角端における収差図
【図３】実施例１に対応する数値実施例の中間のズーム位置における収差図
【図４】実施例１に対応する対応する数値実施例の望遠端における収差図
【図５】実施例２のレンズ断面図
【図６】実施例２に対応する数値実施例の広角端における収差図
【図７】実施例２に対応する数値実施例の中間のズーム位置における収差図
【図８】実施例２に対応する対応する数値実施例の望遠端における収差図
【図９】実施例３のレンズ断面図
【図１０】実施例３に対応する数値実施例の広角端における収差図
【図１１】実施例３に対応する数値実施例の中間のズーム位置における収差図
【図１２】実施例３に対応する対応する数値実施例の望遠端における収差図
【図１３】本発明の撮像装置の要部概略図
【符号の説明】
【００７６】
ＺＬ    ズームレンズ
ＣＢ    カメラ本体
ＧＡ    保護ガラス
ＧＢ    光学ブロック
Ｃ      マウント部材
Ｌ１    第１レンズ群
Ｌ２    第２レンズ群
Ｌ３    第３レンズ群
Ｌ４    第４レンズ群
ＳＰ    絞り
ＩＰ    像面
Ｇ      ガラスブロック
ｄ      ｄ線
ｇ      ｇ線
ΔＳ    サジタル像面
ΔＭ    メリディオナル像面
Ｆｎｏ  Ｆナンバー
１０    カメラ本体
１１    撮影光学系
１２    撮像素子
１３    記録手段
１４    ファインダー
１５    液晶表示パネル
【図１】
0004612795.tif 000007
【図２】
0004612795.tif 000008
【図３】
0004612795.tif 000009
【図４】
0004612795.tif 000010
【図５】
0004612795.tif 000011
【図６】
0004612795.tif 000012
【図７】
0004612795.tif 000013
【図８】
0004612795.tif 000014
【図９】
0004612795.tif 000015
【図１０】
0004612795.tif 000016
【図１１】
0004612795.tif 000017
【図１２】
0004612795.tif 000018
【図１３】
0004612795.tif 000019